(57)【特許請求の範囲】
【請求項１】
台車やコンテナや容器等の底板に取着されるキャスターの台座の相対する辺部を、上記底板に取着される一対の座金の一部と重なるように配置し、次いで、ボルト、ナットにより、上記底板に、一対の座金を介してキャスターの台座を取着するようにしたキャスターの取り付け構造であって、一対の座金に、該一対の座金の相対する縁部から延びる長溝或いは長孔を形成し、上記底板からキャスターを取り外す際には、少なくとも、一方の座金が、キャスターの台座から離れるように、横方向に移動可能であることを特徴とするキャスターの取り付け構造。
【請求項２】
台車やコンテナや容器等の底板に取着されるキャスターの台座の相対する辺部を、上記底板に取着される一対の座金の一部と重なるように配置し、次いで、ボルト、ナットにより、上記底板に、一対の座金を介してキャスターの台座を取着するようにしたキャスターの取り付け構造であって、一対の座金にボルト挿通孔を穿設するとともに、底板に形成された一対のボルト挿通孔の一方を長孔とし、上記底板からキャスターを取り外す際には、少なくとも、一方の座金が、キャスターの台座から離れるように、横方向に移動可能であることを特徴とするキャスターの取り付け構造。
【請求項３】
台車やコンテナや容器等の底板に取着されるキャスターの台座の相対する辺部の一方を、上記底板に形成された水平溝に挿入するとともに、キャスターの台座の相対する辺部のもう一方を、上記底板に取着され、且つ、キャスター側の縁部から延びる長溝或いは長孔が形成されている座金の一部と重なるように配置し、次いで、ボルト、ナットにより、上記底板に、上記座金を介してキャスターの台座を取着し、上記底板からキャスターを取り外す際には、上記座金が、キャスターの台座から離れるように、横方向に移動可能であることを特徴とするキャスターの取り付け構造。
【発明の詳細な説明】
【０００１】
【発明の属する技術分野】
本発明は、台車やコンテナや容器等の底板に取着されるキャスターの取り付け構造に関するものである。
【０００２】
【従来の技術】
図７に示されているように、従来、キャスターＣの平面形状が方形状の台座ｃ１の四隅にボルト挿通孔ｃ２を穿設し、該ボルト挿通孔ｃ２及び台車やコンテナや容器等の底板１に穿設されたボルト挿通孔に、ボルトＢを挿通するとともに、ボルトＢの螺子部ｂ１にナットＮを螺合させることにより、台車やコンテナや容器等の底板１にキャスターＣを取り付けるようにしたキャスターの取り付け構造が知られている。
【０００３】
【発明が解決しようとする課題】
上述した従来のキャスターの取り付け構造においては、キャスターＣを交換する際には、４つのボルトＢからナットＮを取り外して、キャスターＣを、台車やコンテナや容器等の底板１から取り外すとともに、新しいキャスターＣのボルト挿通孔ｃ２及び底板１に穿設されたボルト挿通孔に、ボルトＢを挿通し、ボルトＢの螺子部ｂ１にナットＮを螺合させて、新しいキャスターＣを底板１に取り付けなければならず、キャスターＣの交換に時間と労力を要するという問題がある。
【０００４】
本発明の目的は、上述した従来のキャスターの取り付け構造が有する課題を解決することにある。
【０００５】
【課題を解決するための手段】
本発明は、上述した目的を達成するために、第１には、台車やコンテナや容器等の底板に取着されるキャスターの台座の相対する辺部を、上記底板に取着される一対の座金の一部と重なるように配置し、次いで、ボルト、ナットにより、上記底板に、一対の座金を介してキャスターの台座を取着するようにしたキャスターの取り付け構造であって、一対の座金に、該一対の座金の相対する縁部から延びる長溝或いは長孔を形成し、上記底板からキャスターを取り外す際には、少なくとも、一方の座金が、キャスターの台座から離れるように、横方向に移動可能としたものであり、第２には、台車やコンテナや容器等の底板に取着されるキャスターの台座の相対する辺部を、上記底板に取着される一対の座金の一部と重なるように配置し、次いで、ボルト、ナットにより、上記底板に、一対の座金を介してキャスターの台座を取着するようにしたキャスターの取り付け構造であって、一対の座金にボルト挿通孔を穿設するとともに、底板に形成された一対のボルト挿通孔の一方を長孔とし、上記底板からキャスターを取り外す際には、少なくとも、一方の座金が、キャスターの台座から離れるように、横方向に移動可能としたものであり、第３には、台車やコンテナや容器等の底板に取着されるキャスターの台座の相対する辺部の一方を、上記底板に形成された水平溝に挿入するとともに、キャスターの台座の相対する辺部のもう一方を、上記底板に取着され、且つ、キャスター側の縁部から延びる長溝或いは長孔が形成されている座金の一部と重なるように配置し、次いで、ボルト、ナットにより、上記底板に、上記座金を介してキャスターの台座を取着し、上記底板からキャスターを取り外す際には、上記座金が、キャスターの台座から離れるように、横方向に移動可能としたものである。
【０００６】
【実施例】
以下に、本発明の実施例について説明するが、本発明の趣旨を越えない限り何ら、本実施例に限定されるものではない。なお、上述した従来のキャスターの取り付け構造の構成部材と同じ部材には、同一の符号が使用されている。
【０００７】
先ず最初に、図１及び図２を用いて、本発明のキャスターの取り付け構造の１実施例について説明する。
【０００８】
台車やコンテナや容器等の底板１の下面には、キャスターＣの平面形状が方形状の台座ｃ１が挿着可能で、且つ、台座ｃ１の厚さと略同じ深さを有する凹部１ａが形成されているとともに、底板１には、凹部１ａを挟んで一対のボルト挿通孔１ｂが穿設されている。なお、底板１の上面には、ボルトＢの頭部ｂ２の高さと同じ深さを有する凹部１ｃが形成され、底板１の上面からボルトＢの頭部ｂ２が突出しないように構成することが好ましい。また、凹部１ｃを、ボルトＢの頭部ｂ２の形状に合わせた形状に形成することにより、ボルトＢの回り止めを防止するように構成することもできる。
【０００９】
Ｄは、一対の矩形状の座金であり、一対の座金Ｄの長辺側の略中央部には、長辺の縁部ｄ１から延びる、長辺に対して略直角な長溝ｄ２が形成されている。
【００１０】
台車やコンテナや容器等の底板１に、キャスターＣを取り付けるには、キャスターＣの台座ｃ１を、底板１に形成された凹部１ａに挿着するとともに、キャスターＣの台座ｃ１の相対する辺部に、座金Ｄの一部が重なるように当接し、次いで、ボルトＢを、底板１のボルト挿通孔１ｂ及び座金Ｄの長溝ｄ２に挿通し、その後、ボルトＢの螺子部ｂ１にナットＮを螺合させて、キャスターＣを底板１に取り付ける。また、底板１からキャスターＣを取り外す場合には、ボルトＢの螺子部ｂ１からナットＮを取り外すことなく、ナットＮを、数回回転させて緩めた後、座金Ｄを、キャスターＣの台座ｃ１から離れるように、横方向に移動させることにより、底板１からキャスターＣを取り外すことができる。
【００１１】
なお、上述した実施例には、座金Ｄに長溝ｄ２を形成した例が示されているが、ナットＮを、数回回転させて緩めた後、座金Ｄが横方向に移動可能であれば、ボルトＢの螺子部ｂ１からナットＮを取り外すことなく、底板１からキャスターＣを取り外すことができるので、長溝ｄ２に代えて、長孔を座金Ｄに形成することもできる。
【００１２】
次に、図３及び図４を用いて、本発明のキャスターの取り付け構造の他の実施例について説明する。
【００１３】
この実施例は、上述した座金Ｄを１つ使用するものである。台車やコンテナや容器等の底板１の一方の側部には、棚部１ｄが形成されており、棚部１ｄの上面１ｄ’とキャスターＣの台座ｃ１が挿着される凹部１ａの天部１ａ’との間には、キャスターＣの台座ｃ１の厚さより高く、且つ、棚部１ｄの先端１ｄ”を越えて所定長さ延びる水平溝１ｅが形成されている。また、座金Ｄには、座金ＤのキャスターＣ側の縁部ｄ１’から延びる長溝ｄ２が形成されている。
【００１４】
台車やコンテナや容器等の底板１に、キャスターＣを取り付けるには、キャスターＣの台座ｃ１の相対する辺部の一方を、底板１に形成された水平溝１ｅに挿入し、次いで、ボルトＢを、底板１のボルト挿通孔１ｂ及び座金Ｄの長溝ｄ２に挿通するとともに、座金Ｄを、キャスターＣの台座ｃ１のもう一方の辺部が、座金Ｄと一部重なるように配置し、その後、ボルトＢの螺子部ｂ１にナットＮを螺合させて、座金Ｄを介して、キャスターＣを底板１に取り付ける。また、底板１からキャスターＣを取り外す場合には、ボルトＢの螺子部ｂ１からナットＮを取り外すことなく、ナットＮを、数回回転させて緩めた後、座金Ｄを、キャスターＣの台座ｃ１から離れるように、横方向に移動させ、次いで、キャスターＣの台座ｃ１の一方を下降させて、台座ｃ１を傾斜させた後、台座ｃ１を、水平溝１ｅから引き抜くことによりキャスターＣを底板１から取り外すことができる。
【００１５】
なお、上述した実施例には、座金Ｄに長溝ｄ２を形成した例が示されているが、ナットＮを、数回回転させて緩めた後、座金Ｄが横方向に移動可能であれば、上述したようにして、ボルトＢの螺子部ｂ１からナットＮを取り外すことなく、底板１からキャスターＣを取り外すことができるので、長溝ｄ２に代えて、長孔を座金Ｄに形成することもできる。
【００１６】
次に、図５及び図６を用いて、本発明のキャスターの取り付け構造の更なる実施例について説明する。
【００１７】
この実施例は、上述した図１及び図２に示されているキャスターの取り付け構造の変形であり、一対の座金Ｄには、図１及び図２に示されている長溝ｄ２に代えて、ボルト挿通孔ｄ３が穿設されている。また、台車やコンテナや容器等の底板１に形成された凹部１ａを挟んで穿設されている一対のボルト挿通孔１ｂの一方を、底板１に取着された一対の座金Ｄに穿設されたボルト挿通孔ｄ３を結ぶ延長線上に延設して長孔１ｆとしたものである。
【００１８】
台車やコンテナや容器等の底板１に、キャスターＣを取り付けるには、キャスターＣの台座ｃ１を、底板１に形成された凹部１ａに挿着するとともに、キャスターＣの台座ｃ１の相対する辺部に、一対の座金Ｄの一部が重なるように当接し、次いで、ボルトＢを、底板１のボルト挿通孔１ｂ或いは長孔１ｆ及び座金Ｄのボルト挿通孔ｄ３に挿通し、その後、ボルトＢの螺子部ｂ１にナットＮを螺合させて、キャスターＣを底板１に取り付ける。また、台車やコンテナや容器等の底板１から、キャスターＣを取り外すには、両方のナットＮを緩めた後、長孔１ｆに沿って、長孔１ｆ側の座金Ｄを、キャスターＣから遠ざかる方向に移動させて、該座金ＤとキャスターＣの台座ｃ１との係合を解除し、次いで、キャスターＣの台座ｃ１を、もう一方の座金Ｄから引き抜くことにより行う。勿論、上述したように、ボルトＢの螺子部ｂ１からナットＮを外して、座金Ｄを取り去ることにより、キャスターＣを底板１から取り外すこともできる。
【００１９】
本発明においては、従来のキャスターＣの取り付け構造のように、キャスターＣの取り付け、取り外しに際して、４つのボルトＢにナットＮを螺合したり、４つのボルトＢからナットＮを取り外すことなく、１つ或いは２つのボルトＢにナットＮを螺合することにより、キャスターＣを、台車やコンテナや容器等の底板１への取り付けることができるとともに、ナットＮを、数回回転させて緩めた後、キャスターＣの台座ｃ１或いは座金Ｄを横方向に移動させることにより、キャスターＣを、台車やコンテナや容器等の底板１から取り外すことができるので、キャスターＣの台車やコンテナや容器等の底板１への取り付け、取り外し時間が短縮されるとともに、キャスターＣの台車やコンテナや容器等の底板１への取り付け、取り外し作業の作業負担が軽減される。
【００２０】
また、キャスターＣの台座ｃ１にボルト挿通孔ｃ２を穿設する必要がないので、キャスターＣの製造工程が簡略化され、キャスターＣの製造コストを低減することができる。勿論、台座ｃ１にボルト挿通孔ｃ２を有する従来のキャスターＣを使用することもできる。
【００２１】
【発明の効果】
本発明は、以上説明した構成を有しているので、以下に記載する効果を奏するものである。
【００２２】
キャスターの台車やコンテナや容器等の底板への取り付け、取り外し時間が短縮されるとともに、キャスターの台車やコンテナや容器等の底板への取り付け、取り外し作業の作業負担が軽減される。
【００２３】
キャスターの台座にボルト挿通孔を穿設する必要がないので、キャスターの製造工程が簡略化され、キャスターの製造コストを低減することができる。
【００２４】
一対の座金に、該一対の座金の相対する縁部から延びる長溝或いは長孔を形成したので、ナットをボルトから外すことなく、単に、ナットを緩めるだけで、キャスターを交換することができる。
【００２５】
一対の座金にボルト挿通孔を穿設するとともに、底板に形成された一対のボルト挿通孔の一方を長孔としたので、ナットをボルトから外すことなく、単に、ナットを緩めるだけで、キャスターを交換することができる。
【図面の簡単な説明】
【図１】  図１は本発明のキャスターの取り付け構造の一実施例の底面図である。
【図２】  図２は図１のＩ−Ｉ線に沿ったキャスターの取り付け構造の側断面図である。
【図３】  図３は本発明のキャスターの取り付け構造の他の実施例の底面図である。
【図４】  図４は図３のＩ−Ｉ線に沿ったキャスターの取り付け構造の側断面図である。
【図５】  図５は本発明のキャスターの取り付け構造の更に他の実施例の底面図である。
【図６】  図６は図５のＩ−Ｉ線に沿ったキャスターの取り付け構造の側断面図である。
【図７】  図７は従来のキャスターの取り付け構造の斜視図である。
【符号の説明】
Ｂ・・・・・・・・・・ボルト
Ｃ・・・・・・・・・・キャスター
Ｄ・・・・・・・・・・座金
Ｎ・・・・・・・・・・ナット
１・・・・・・・・・・底板
【図１】
0003877847.tif 000002
【図２】
0003877847.tif 000003
【図３】
0003877847.tif 000004
【図４】
0003877847.tif 000005
【図５】
0003877847.tif 000006
【図６】
0003877847.tif 000007
【図７】
0003877847.tif 000008